(57)【要約】      （修正有）【課題】帽子のつばの穴に装飾ユニットを付けられる帽子を提供する。【解決手段】帽子本体２と、１つから複数の大きな穴の装飾穴４をあけたつばを備え、装飾ユニット５を、取り外し可能に装飾穴４に取り付けたことを特徴とする装飾付き帽子。装飾ユニット５は、平面又は立体で装飾する装飾部５２と、取り付け部５１からなり、装飾部５２は、取付け部５１に取り付けられ、取り付け部５１は、装飾穴４の周囲を挟んで取り付けるようにしたことを特徴とする。【選択図】図１
0003189494.tif 000002
【実用新案登録請求の範囲】
【請求項１】
帽子本体２と、１つから複数の大きな穴の装飾穴４をあけたつば３を備え、装飾ユニット５を、取り外し可能に装飾穴４に取り付けたことを特徴とする装飾付き帽子。
【請求項２】
装飾ユニット５は、平面又は立体で装飾する装飾部５２と、取り付け部５１からなり、装飾部５２は、取付け部５１に取り付けられ、取り付け部５１は、装飾穴4の周囲を挟んで取り付けるようにしたことを特徴とする請求項１記載の装飾付き帽子。
【請求項３】
装飾部５２は、取付け部５１に取り外し可能にしたこと特徴とする請求項２に記載の装飾付き帽子。
【請求項４】
取り付け部５１は、上部５１１、下部５１２、及び、上部と下部を装飾穴４  の周囲を挟んで、つばに固定する連結部５１３からなることを特徴とする請求項２に記載の装飾付き帽子。
【考案の詳細な説明】
【技術分野】
【０００１】
本考察は、帽子のつばの穴に装飾ユニットを付けられる帽子に関する。
【背景技術】
【０００２】
従来の帽子において、帽子の頭に密着する部分から外に向かって広がり、日差し除けとなるつばの部分に、装飾をするには、刺繍やプリントを行い、平面的な装飾しかできないし、一度刺繍または、プリントをしてしまうと装飾の変更ができなかった。
【考案の概要】
【考案が解決しようとする課題】
【０００３】
今までは、帽子のつばに装飾をするには、刺繍やプリントの平面的な装飾しかできない。また一度刺繍してしまうと装飾の変更ができなかった。
【課題を解決するための手段】
【０００４】
帽子本体２と、１つから複数の大きな穴の装飾穴４をあけたつば３を備え、装飾ユニット５を、取り外し可能に装飾穴４に取り付けたことを特徴とする装飾付き帽子。
【０００５】
装飾ユニット５は、平面又は立体で装飾する装飾部５２と、取り付け部５１からなり、装飾部５２は、取付け部５１に取り付けられ、取り付け部５１は、装飾穴4の周囲を挟んで取り付けるようにしたことを特徴とする請求項１記載の装飾付き帽子。
【０００６】
装飾部５２は、取付け部５１に取り外し可能にしたこと特徴とする請求項２に記載の装飾付き帽子。
【０００７】
取り付け部５１は、上部５１１、下部５１２、及び、上部と下部を装飾穴４  の周囲を挟んで、つばに固定する連結部５１３からなることを特徴とする請求項1から４に記載の装飾付き帽子。
【考案の効果】
【０００８】
本考案は次のような効果がある。
１）帽子のつばの部分に大きな穴を空けているので、通常使いする際に、日
差しを遮るために、穴に装飾をはめ込める。
２）穴を塞ぐ装飾を平面的にすれば自由な模様にでき、立体的にすれば、
フィギュアの様なおもちゃを固定でき、企業ロゴ、広告なども立体に
見せることも出来る。
３）大きな穴を設けた装飾穴に取り付け部を取り外しできるようにする。
４）装飾部の装飾を交換するだけで、好きな装飾ができる。
５）従来の装飾と一緒に本考案の装飾をする事により、今までになかった装
飾付の帽子ができる。
【図面の簡単な説明】
【０００９】
【図１】本考案の装飾付き帽子の使用図
【図２】装飾ユニットの取り付け部の構成図
【図３ａ】装飾ユニットの詳細図（平面）
【図３ｂ】装飾ユニットの詳細図（立体）
【考案を実施するための形態】
【００１０】
以下、図面に記載の考案の実施の形態に基づいて、この考案をより具体的に説明する。図１は本考案のつば装飾帽子の使用図、図２は装飾ユニットの取り付け部の構成図、図３ａは装飾ユニットの詳細図（平面）、図３ｂは装飾ユニットの詳細図（立体）である。
【００１１】
装飾付き帽子１は、帽子本体２とつば３と１つから複数の装飾穴４と装飾ユニット５からなる。
【００１２】
図１は、帽子本体２のつば３の装飾穴4に装飾ユニット５を取り付け、頭６にかぶった使用図である。
【００１３】
図２は装飾ユニット５の取り付け部５１構成図である。
装飾ユニット５の取り付け部５１には、このような形態があげられる。
１）   図２aキャップ式：取り付け部５１で上部５１１、下部５１２の機能をはたし、連結部５１３で、つば３の装飾穴４に取り付ける。
例として、取り付け部５１には、凹部７を構える。
２）   図２b はめこみ：取り付け部５１が上部５１１と下部５１２に分かれていて、上部５１１に下部５１２をはめこみ、連結部５１３で、つば３の装飾穴４に取り付ける。
例として、取り付け部５１には、凹７部を構える。
３）   図２c ネジこみ式：取り付け部５１が上部ネジ穴５１１がと下部ネジ５１２に分かれていて、上部ネジ穴５１１に下部ネジ５１２をネジこみ、連結部５１３で、つば３の装飾穴４に取り付ける。
例として、取り付け部５１には、凹部７を構える。
４）   図２d  磁石式：取り付け部５１が上部５１１と下部５１２に分かれていて、上部５１１または、下部５１２に磁石と磁石にくっ付く物質で取り付け、連結部５１３で、つば３の装飾穴４に取り付ける。
例として、取り付け部５１には、凹部７を構える。
【００１４】
図３ａは装飾ユニットの詳細図（平面）、図３ｂは装飾ユニットの詳細図（立体）である。
装飾ユニット５の装飾部５２と取り付け部５１とは、予め一体成形するか、取り外しできる構成である。
取り外しできる構成では、装飾部５２に接続部５２３、取り付け部５１の上部５１１に接続部５１１１を設け、相互に接続部どうしを接続する。
下記のような形態があげられる。図３aの装飾部５２は、平面装飾部５２１、図３bの装飾部５２は、立体装飾部５２１を示す。
１）例えば、図３aと図３bのように、装飾部５２の接続部では凸部８または、凹部７を備え、取り付け部５１に接続部５１１１に凹部７または、凸部８でそれらを勘合させて固定する。
２） 装飾部５２の接続部に磁石、取り付け部５１に接続部５１１１は薄い鉄板にして磁石で吸引して接続してもよい。
３） 装飾部５２の接続部にネジ芯、取り付け部５１に接続部５１１１はネジ穴にしてネジこみ接続してもよい。
装飾部５２は、つば３の上部または、下部のどちらに取り付けてもよい。
【符号の説明】
【００１５】
１  装飾付き帽子
２  帽子本体
３  つば
４  装飾穴
５  装飾ユニット
５１  取り付け部
５１１  上部
５１１１  接続部
５１２  下部
５１３  連結部
５２    装飾部
５２１  平面装飾部
５２２  立体装飾部
５２３  接続部
６  頭
７  凹部
８  凸部
Ｐ  取付け方向
【図１】
0003189494.tif 000003
【図２】
0003189494.tif 000004
【図３ａ】
0003189494.tif 000005
【図３ｂ】
0003189494.tif 000006
【手続補正書】
【提出日】平成25年11月15日(2013.11.15)
【手続補正１】
【補正対象書類名】実用新案登録請求の範囲
【補正対象項目名】全文
【補正方法】変更
【補正の内容】
【実用新案登録請求の範囲】
【請求項１】
帽子本体（２）と、１つから複数の大きな穴の装飾穴（４）をあけたつば（３）を備え、装飾ユニット（５）を、取り外し可能に装飾穴（４）に取り付けたことを特徴とする装飾付き帽子。
【請求項２】
装飾ユニット（５）は、平面又は立体で装飾する装飾部（５２）と、取り付け部（５１）からなり、装飾部（５２）は、取付け部（５１）に取り付けられ、取り付け部（５１）は、装飾穴（４）の周囲のつばを挟んで、取り付けるようにしたことを特徴とする請求項１記載の装飾付き帽子。
【請求項３】
装飾部（５２）は、接続部（５２３）、取付け部（５１）の上部（５１１）に接続部（５１１１）を設け、相互に接続部どうしを接続し、取り外しできるようにしたことを特徴とする請求項２に記載の装飾付き帽子。
【請求項４】
取り付け部（５１）は、上部（５１１）、下部（５１２）、及び、上部と下部を装飾穴（４）の周囲のつばを挟んで、つばに固定する連結部（５１３）からなることを特徴とする請求項２に記載の装飾付き帽子。
【手続補正書】
【提出日】平成25年12月26日(2013.12.26)
【手続補正１】
【補正対象書類名】実用新案登録請求の範囲
【補正対象項目名】請求項３
【補正方法】変更
【補正の内容】
【請求項３】
装飾部（５２）に接続部（５２３）を設け、取付け部（５１）の上部（５１１）にも接続部（５１１１）を設け、互いの接続部を接続し、取り外しできるようにしたことを特徴とする請求項２に記載の装飾付き帽子。